(57)【特許請求の範囲】
【請求項１】
吸収体を挟んで液透過性の不織布製トップシートと液不透過性のバックシートが積層された使い捨ておむつにおけるおむつ本体に取付けられた止着用面ファスナーの雄型係合部材を、反転させてその係合面をトップシート側に仮止めさせた状態で包装される使い捨ておむつであって、前記雄型係合部材が取付用基材シートを介して前記おむつ本体に取付けられ、該取付用基材シート上における前記雄型係合部材の付け根付近に仮止め用不織布が設けられてなり、前記雄型係合部材の係合面を仮止めするトップシート側部材が、前記仮止め用不織布である使い捨ておむつを製造する方法において、前記取付用基材シート上に前記仮止め用不織布を取付けるための粘着剤を、前記仮止め用不織布の反取付面まで浸潤させ、該仮止め用不織布の反取付面に前記雄型係合部材の係合面を仮止めした状態で製造ラインを搬送することを特徴とする使い捨ておむつの製造方法。
【請求項２】
上記粘着材の塗布形状がドット状である請求項１に記載の使い捨ておむつの製造方法。
【請求項３】
上記粘着材の塗布形状がストライプ状である請求項１に記載の使い捨ておむつの製造方法。
【請求項４】
上記粘着材を、仮止め表面となる部分の全面に侵潤させてなる請求項１に記載の使い捨ておむつの製造方法。
【発明の詳細な説明】
【０００１】
【発明の属する技術分野】
本発明は使い捨ておむつ及びその製造方法に関するものであり、詳細にはおむつを着用するにあたって、胴回部分に設けられた面ファスナーを機械的に係合して止着（着用固定）するタイプの使い捨ておむつ及びその製造方法に関するものである。
【０００２】
【従来の技術】
図４は使い捨ておむつを示す展開平面図であり、おむつの身体側面を手前側にして表している。
【０００３】
該使い捨ておむつ１０は長方形の長辺側の中央が窪んだ砂時計型をしており、この窪み部分が股部１４となり、該股部１４に連なって広くなっている一方が背側部１１で、他方が腹側部１３である。上記背側部１１の両翼片１１ａの端付近には取付部材１２が設けられ、該取付部材１２の身体側面には止着用面ファスナーの雄型係合部材１５が備えられており、一方腹側部１３の反身体側（外側）面には上記雄型係合部材１５と係合可能な雌型係合部材１６が備えられ、該雌型係合部材１６に上記雄型係合部材１５を係合することによって着用できる様になっている。
【０００４】
この様な使い捨ておむつの製造は、液不透過性のバックシート２１，吸収体２２，液透過性のトップシート２３，取付部材１２，雌型係合部材１６，ウエスト用伸縮部材（図示せず），レッグ用伸縮部材（図示せず）等の各部品を組み立て或いは取付けて、次いで包装形状に折畳むことによって行われているが、この製造過程は製造ライン上を連続的に進行して行われており、この際前記雄型係合部材１５の係合面が露出状態にあると、該係合面が製造機械やおむつの他の部品に引っかかり、スムーズな製造流れを実現できないばかりでなく、おむつを製造機械に巻き込んでしまう事故等の恐れがある。
【０００５】
そこで製造工程の早い段階で、取付部材１２を折り返す様にして雄型係合部材１５の係合面を反転させ、該係合面を不織布製のトップシート２３に仮止めして上記係合面を被覆保護している（図４の上側に示す取付部材１２参照）。
【０００６】
図５は図４に示すＢ−Ｂ線断面拡大図であり、即ち使い捨ておむつの取付部材１２部分を示す断面図である。
【０００７】
取付部材１２は取付用基材シート１８上の一方端近傍に雄型係合部材１５が接着されたものであり、上記基材シート１８の他端付近がトップシート２３とバックシート２１に挟まれて、粘着剤１９，１７によって接着されている。そして不織布製トップシート２３の繊維が形成する微細なループに雄型係合部材１５係合面の鉤部１５ａが引掛かる様にして係合（仮止め）している。
【０００８】
使い捨ておむつとしては、図４に示す様に、不織布からなるトップシート２３に雄型係合部材１５を仮係合させたもの以外に、仮止め用の不織布を別途設けたものもあり、図６は該使い捨ておむつ３０を示す展開平面図（身体側面を手前側にして表す）である。尚図４と同じ構成部分については同一の符号を付して重複説明を避ける。
【０００９】
該おむつ３０の取付部材３２の基材シート上には雄型係合部材１５の他、仮止め用不織布３７が上記雄型係合部材１５の付け根付近に設けられている。
【００１０】
図７は図６に示すＣ−Ｃ線断面拡大図であり、即ち使い捨ておむつの取付部材３２部分を示す断面図である。
【００１１】
上述の様に取付部材３２の取付用基材シート３８上の一方端付近に雄型係合部材１５が取付けられ、更に該雄型係合部材１５の付け根付近に仮止め用不織布３７が粘着剤１９によってに接着されている。そして基材シート３８の他方端付近３８ａがバックシート２１とトップシート２３に挟まれる様にして接着されている。
【００１２】
該おむつ３０においても取付部材３２を折り返して上記雄型係合部材１５係合面を反転し、上記仮止め用不織布３７の繊維が形成する微細なループに上記雄型係合部材１５係合面の鉤部１５ａを引掛かる様にして係合し、上記係合面を被覆保護している（図６の上側に示す取付部材３２参照）。
【００１３】
図８は上記おむつ３０の部品の一つである取付部材３２の製造工程を説明するための平面図であり、矢印Ａ方向に製造ラインが進行している。
【００１４】
該取付部材３２の製造工程は、まず基材シート３８上に雄型係合部材１５と不織布３７を粘着剤により接着し、次いで上記雄型係合部材１５の部分を折り返して反転させ、上記不織布３７に仮係合（仮止め）している。
【００１５】
この様におむつ３０の組立て／取付けを行う前の取付部材３２部品の段階で、仮係合して雄型係合部材１５の係合面が露出しない様にした場合は、製造機械やおむつの他の部品に引っかかる恐れが一層低減する。尚基材シート３８の下側部分３８ａをトップシート２３とバックシート２１に挟む様にして、上記取付部材３２をおむつ本体に取付ける。
【００１６】
また図４，６に示す使い捨ておむつ以外に、雄型係合部材１５を基材シートを介さずにバックシート２１或いはトップシート２３に直接接着させたおむつもある。
【００１７】
【発明が解決しようとする課題】
上述の様に雄型係合部材１５の係合面は露出しない様に不織布製トップシート２３や仮止め用不織布３７によって被覆保護されているが、この不織布（トップシート２３，仮止め用不織布３７）との係合力は上述の様に微細な繊維ループへの引っかかりである為に弱く、従って容易に外れてしまって雄型係合部材１５の係合面が露出し（図９：使い捨ておむつの取付部材１２部分を示す断面図、図４，６の下側に示す取付部材１２，３２参照）、よってこの露出した係合面が製造機械やおむつの他の部品に引っかかってスムーズな製造流れを阻害し、更におむつを製造機械に巻き込んでしまうという問題を生じる。
【００１８】
そこで本発明においては、雄型係合部材の係合面が容易に露出してしまうことのない使い捨ておむつ及びその製造方法を提供することを目的とする。
【００１９】
【課題を解決するための手段】
本発明に係る使い捨ておむつは、吸収体を挟んで液透過性の不織布製トップシートと液不透過性のバックシートが積層された使い捨ておむつにおけるおむつ本体に取付けられた止着用面ファスナーの雄型係合部材を、反転させてその係合面をトップシート側に仮止めさせた状態で包装される使い捨ておむつにおいて、前記雄型係合部材の係合面に仮止めするトップシート側部材は、その少なくとも一部が表面まで粘着剤の浸潤したものであることを要旨とする。
【００２０】
また本発明に係る使い捨ておむつは、前記雄型係合部材の係合面を仮止めするトップシート側部材が、前記不織布製トップシートであるものや、或いは前記雄型係合部材が取付用基材シートを介して前記おむつ本体に取付けられ、該取付用基材シート上における前記雄型係合部材の付け根付近に仮止め用不織布が設けられた使い捨ておむつであり、前記雄型係合部材の係合面を仮止めするトップシート側部材が、前記仮止め用不織布であるものであっても良い。
【００２１】
上記の様に係合面を仮止めする不織布等の仮止め表面まで粘着剤が浸潤しているから、該粘着剤による粘着力が不織布の微細な繊維ループとの係合力に加わり、雄型係合部材の係合面の被覆保護が容易に解かれることがなくなる。
【００２２】
また本発明に係る使い捨ておむつの製造方法は、前記不織布製トップシートにおける前記係合面の仮止め位置に相当する部分の表面まで粘着剤を浸潤させ、該不織布製トップシートの仮止め位置部分に前記雄型係合部材の係合面を仮止めした状態で製造ラインを搬送することを要旨とする。
【００２３】
粘着剤を上記不織布製トップシートの仮止め位置部分の表面まで浸潤させるにあたって、バックシートとトップシートを接着する際に、上記仮止め位置部分に塗布する粘着剤量を多くすれば、表面まで浸潤することになる。従って新たな工程を設けなくても上記接着工程を利用することにより、製造工程が煩雑にはならない。
【００２４】
或いは本発明に係る使い捨ておむつの製造方法は、前記取付用基材シート上に前記仮止め用不織布を取付けるための粘着剤を、前記仮止め用不織布の反取付面まで浸潤させ、該仮止め用不織布の反取付面に前記雄型係合部材の係合面を仮止めした状態で製造ラインを搬送することを要旨とする。
【００２５】
上記と同様に、仮止め用不織布を接着する際に塗布する粘着剤の量を多くすることによって、粘着剤を仮止め用不織布の反接着表面まで浸潤させることができ、よってこの様に仮止め用不織布の接着工程を利用すれば、新たな工程が不要であるので、製造が煩雑とならない。
【００２６】
【発明の実施の形態】
図１は本発明の実施例１に係る使い捨ておむつの取付部材の部分を示す拡大断面図である。尚図４，５と同じ構成部分については同一の符号を付して重複説明を避ける。
【００２７】
不織布製トップシート２３は粘着剤２４によって基材シート１８に接着されるが、この際の粘着剤２４の量を多くすることにより、不織布製トップシート２３と基材シート１８の接着面２３ａに留まらず、該不織布製トップシート２３の表面（以下、仮止め表面と称することがある）２３ｂにまで粘着剤が及ぶ様になる。
【００２８】
上記仮止め表面２３ｂは雄型係合部材１５の係合面を仮止めする部分であり、従って上記雄型係合部材１５の鉤部１５ａは不織布製トップシート２３の微細な繊維ループに引掛かるだけでなく、上記粘着剤２４の粘着力によっても付着されることとなり、従って雄型係合部材１５がトップシート２３にしっかりと取付けられて雄型係合部材１５の係合面が被覆保護され、製造過程中に露出する恐れがなくなる。
【００２９】
図２は本発明の実施例２に係る使い捨ておむつの取付部材の部分を示す拡大断面図である。尚図６，７と同じ構成部分については同一の符号を付して重複説明を避ける。
【００３０】
仮止め用不織布３７は粘着剤２４によって基材シート３８に接着されるが、上記実施例１と同様にこの際の粘着剤２４の量は多く、仮止め用不織布３７の接着面（取付面）３７ａに留まらず、該仮止め用不織布３７の仮止め表面（反取付面）３７ｂにまで及んでいる。
【００３１】
そして上記と同様に雄型係合部材１５の鉤部１５ａは不織布３７の微細な繊維ループへの引掛かりと、上記粘着剤２４の粘着力によって付着され、従って雄型係合部材１５が不織布３７にしっかりと取付けられ、製造過程中に雄型係合部材１５の係合面が露出する恐れがなくなる。
【００３２】
図３は本発明の実施例３に係る使い捨ておむつの取付部材の部分を示す拡大断面図である。尚図１と同じ構成部分については同一の符号を付して重複説明を避ける。
【００３３】
本実施例３はバックシート２１の延長端部２１ａに雄型係合部材１５が取付けられたものであり、この場合も上記実施例１と同様に、粘着剤２４が不織布製トップシート２３の仮止め表面２３ｂにまで及んでいるから、不織布製トップシート２３への鉤部１５ａの係合に粘着剤２４の付着が加わって、しっかりと仮止め表面２３ｂに雄型係合部材１５の係合面が取付けられることになる。よって製造過程中に外れる恐れがない。
【００３４】
以上の様に本発明に係る使い捨ておむつ及びその製造方法に関して、一実施例を示す図面を参照しつつ具体的に説明するが、本発明はもとより図示例に限定される訳ではなく、前記の趣旨に適合し得る範囲で適当に変更を加えて実施することも可能であり、それらはいずれも本発明の技術的範囲に包含される。
【００３５】
例えば図１〜３の実施例１〜３では、粘着剤２４を部分的に塗布したものを示したが、その塗布形状としてはドット状やストライプ状等いずれであっても良く、或いは仮止め表面となる部分の全面に粘着剤を浸潤させても良い。
【００３６】
【発明の効果】
本発明に係る使い捨ておむつにおいては、雄型係合部材の係合面が不織布等の仮止め表面によってしっかりと被覆保護される様になり、従って雄型係合部材の係合面が露出する恐れが非常に低減し、よって製造機械へのおむつの巻き込み事故等が生じず、スムーズな製造流れを実現できる。
【図面の簡単な説明】
【図１】本発明の実施例１に係る使い捨ておむつの取付部材の部分を示す拡大断面図。
【図２】本発明の実施例２に係る使い捨ておむつの取付部材の部分を示す拡大断面図。
【図３】本発明の実施例３に係る使い捨ておむつの取付部材の部分を示す拡大断面図。
【図４】使い捨ておむつを示す展開平面図。
【図５】図４に示すＢ−Ｂ線断面拡大図。
【図６】他の使い捨ておむつを示す展開平面図。
【図７】図６に示すＣ−Ｃ線断面拡大図。
【図８】図６に示すおむつの取付部材の製造工程を説明するための平面図。
【図９】使い捨ておむつの取付部材の部分を示す断面図。
【符号の説明】
１０，３０  使い捨ておむつ
１１  背側部
１１ａ  翼片
１２，３２  取付部材
１３  腹側部
１４  股部
１５  雄型係合部材
１５ａ  鉤部
１６  雌型係合部材
１７，１９，２４  粘着剤
１８，３８  基材シート
２１  バックシート
２１ａ  延長端部
２２  吸収体
２３  不織布製トップシート
２３ａ，３７ａ  接着面
２３ｂ，３７ｂ  仮止め表面
３７  仮止め用不織布
３８ａ  下側部分
【図１】
0003896215.tif 000002
【図２】
0003896215.tif 000003
【図３】
0003896215.tif 000004
【図４】
0003896215.tif 000005
【図５】
0003896215.tif 000006
【図６】
0003896215.tif 000007
【図７】
0003896215.tif 000008
【図８】
0003896215.tif 000009
【図９】
0003896215.tif 000010